(57)【特許請求の範囲】
【請求項１】
器具本体を取付ける取付フレームを、天井、壁等に形成した取付穴内に収容固定するための埋込型器具の取付構造であって、
上記取付フレームは、
上記取付穴に嵌着されるフレーム枠と、受爪部を形成した複数の支持部とを備えており、上記フレーム枠は取付穴の外方に延長させた鍔片を有し、かつ上記支持部は取付具に連結されており、
上記取付具の各々は、
板バネと、開口部を開設した操作片と、一端を前記操作片に枢着し、他端に係止端を有したトグルリンクとを備えており、
上記板バネは、上記操作片の上記開口部を貫通して、その一端が上記支持部に設けた支持軸に枢着され、かつ他端が上記操作片に枢着されており、
上記取付フレームが上記取付穴に嵌挿されてから、前記操作片の一端を天井、壁等の裏面に押し当て、上記板バネを弾性変形させることで、上記係止端を、上記取付フレームの上記支持部の受爪部に係止され、それによって、上記取付フレームを上記板バネの弾性力で持ち上げる構造にしている、埋込型器具の取付構造。
【請求項２】
請求項１において、
上記取付フレームの上記支持部には、上記トグルリンクの上記係止端を上記支持部の上方に形成された上記受爪部へと誘導するように外側から内側に向けて傾斜したガイド傾斜面が形成されている埋込型器具の取付構造。
【請求項３】
請求項１において、
上記受爪部は長孔を有しており、この長孔内を上記トグルリンクが移動するようにしている埋込型器具の取付構造。
【請求項４】
器具本体を取付ける取付フレームを、天井、壁等に形成した取付穴内に収容固定するための埋込型器具の取付構造であって、
上記取付フレームは、
上記取付穴に嵌着されるフレーム枠と、軸孔を形成した複数の支持部とを備えており、上記フレーム枠は取付穴の外方に延長させた鍔片を有し、かつ上記支持部は取付具に連結されており、
上記取付具の各々は、
板バネと、開口部を開設した操作片と、一端を前記操作片に枢着し、他端を上記支持部の上記軸孔に枢着し上記操作片と上記支持部とを回動可能に連結したトグルリンクとを備えており、
上記板バネは、上記操作片の上記開口部を貫通して、その一端が上記支持部に設けた支持軸に枢着され、かつ他端が上記操作片に枢着されており、
上記取付フレームが上記取付穴に嵌挿されてから、前記操作片の一端を天井、壁等の裏面に押し当て、上記板バネを弾性変形させることで、上記取付フレームを上記板バネの弾性力で持ち上げる構造にしている、埋込型器具の取付構造。
【請求項５】
請求項１〜４の何れかにおいて、
上記板バネは、変曲部を有した椀形状になっている埋込型器具の取付構造。
【請求項６】
請求項１〜５の何れかにおいて、
上記器具本体が、ダウンライト等の照明器具である埋込型器具の取付構造。
【発明の詳細な説明】
【技術分野】
【０００１】
本発明は、天井、壁等に形成した取付穴内に器具本体を埋設して、この器具本体を天井、壁等に取り付けてなる埋込型器具の取付構造に関する。
【背景技術】
【０００２】
従来、天井に形成した取付穴内に器具本体を埋設する取付構造としては、例えば、ダウンライト等の照明器具の取付構造が知られている。以下、本明細書では、このダウンライトを代表例として説明するが、これ以外の取付構造、例えば、天井や壁に開設された取付穴にスピーカー等の音響器具を埋設して取付ける取付構造などであっても構わない。
【０００３】
従来のダウンライトの取付構造としては、天井、壁等に形成した取付穴内に埋設し、前記ダウンライトに連結された取付フレームに形成された複数のネジ溝に向けて、天井、壁等を介してネジを螺合して前記ダウンライトを取付ける、所謂ネジ止め式の取付構造があった
しかしながら、このネジ止め式の取付構造では、ダウンライトを確実に取付できるのであるが、前記ネジを一々ネジ溝に螺合する手間を要し、その取付け、取り外しの際の作業性が悪いという問題があった。
【０００４】
そのため、バネ板等の弾性部材を用い、この弾性力でダウンライトを取付ける、所謂バネ式の取付構造も知られている。
【０００５】
このバネ式の取付構造としては、ダウンライトに連結された取付フレームに、外側に向けて弾性付勢される一対の板バネ舌片を上方に向けて形成し、この板バネ舌片を内側に押さえ付けながら、天井の取付穴内にダウンライト及び取付フレームを嵌挿すると、前記板バネ舌片は、この取付穴を嵌通した後、その弾性力によって天井裏で外側に開放して天井板に係止され、これらダウンライト及び取付フレームの落下を防止して取付けるのである（例えば、特許文献１参照。）。
【０００６】
また、他のバネ式の取付構造として、ダウンライトに連結された取付フレームに、上方に向けて取付金具が立設され、この取付金具に設けたＬ状の弾性バネを操作すれば、これに連動して係止爪が天井裏に係止されてダウンライトの落下を防止するものである（例えば、特許文献２参照。）。
【特許文献１】特開２００４−３６２９８９号
【特許文献２】特開平７−２１１１２２号
【発明の開示】
【発明が解決しようとする課題】
【０００７】
しかしながら、従来のバネ式の取付構造では、以下の問題がある。
【０００８】
すなわち、前者のものでは天井板の厚みがあらかじめ設定された天井板の厚みと異なると、板バネ舌片がうまく広がらず、ダウンライト全体を上手く支承しきれずに、グラツキが生じ易いという問題がある。
【０００９】
また、仮に、板バネ舌片が係止されたとしても、ダウンライト及び取付フレームからの荷重などによって、板バネ舌片が閉じてダウンライト全体が抜け落ちる危険もあった。
【００１０】
一方、後者のものでは、天井板を取付フレームと係止爪で挟持する構造であるため、ダウンライト全体が落下する危険はない。
【００１１】
しかしながら、取付フレームの上方に向けて立設された取付金具が複雑且つ大型であるため、天井裏に十分な取付空間を要する必要があり、天井裏が狭小な空間には設置できない問題があった。また、例えば、ダウンライトの照射角度を変えるために、ダウンライトが首振り動作を行うものである場合には、前記取付金具が邪魔になってダウンライトを損傷したり、或いは、その首振り動作を行うことができないという問題もあった。
【００１２】
本発明は、かかる課題を解決することを目的とするもので、ダウンライト等の器具本体を簡単かつ確実に取付けできると共に、天井裏のスペースが狭小であっても取付可能であって、しかも、ダウンライト等の首振り動作を邪魔することもない小型化された埋込型器具の取付構造を提供する。
【課題を解決するための手段】
【００１３】
上記目的を達成するため、請求項１に係る埋込型器具の取付構造は、器具本体を取付ける取付フレームを、天井、壁等に形成した取付穴内に収容固定するための埋込型器具の取付構造であって、上記取付フレームは、上記取付穴に嵌着されるフレーム枠と、受爪部を形成した複数の支持部とを備えており、上記フレーム枠は取付穴の外方に延長させた鍔片を有し、かつ上記支持部は取付具に連結されており、上記取付具の各々は、板バネと、開口部を開設した操作片と、一端を前記操作片に枢着し、他端に係止端を有したトグルリンクとを備えており、上記板バネは、上記操作片の上記開口部を貫通して、その一端が上記支持部に設けた支持軸に枢着され、かつ他端が上記操作片に枢着されており、上記取付フレームが上記取付穴に嵌挿されてから、前記操作片の一端を天井、壁等の裏面に押し当て、上記板バネを弾性変形させることで、上記係止端を、上記取付フレームの上記支持部の受爪部に係止され、それによって、上記取付フレームを上記板バネの弾性力で持ち上げる構造にしている。
【００１４】
上記目的を達成するため、請求項２に係る埋込型器具の取付構造は、請求項１において、上記取付フレームの上記支持部には、上記トグルリンクの上記係止端を上記支持部の上方に形成された上記受爪部へと誘導するように外側から内側に向けて傾斜したガイド傾斜面が形成されている。
【００１５】
上記目的を達成するため、請求項３に係る埋込型器具の取付構造は、請求項１において、上記受爪部は長孔を有しており、この長孔内を上記トグルリンクが移動するようにしている。
【００１６】
上記目的を達成するため、請求項４に係る埋込型器具の取付構造は、器具本体を取付ける取付フレームを、天井、壁等に形成した取付穴内に収容固定するための埋込型器具の取付構造であって、上記取付フレームは、上記取付穴に嵌着されるフレーム枠と、軸孔を形成した複数の支持部とを備えており、上記フレーム枠は取付穴の外方に延長させた鍔片を有し、かつ上記支持部は取付具に連結されており、上記取付具の各々は、板バネと、開口部を開設した操作片と、一端を前記操作片に枢着し、他端を上記支持部の上記軸孔に枢着し上記操作片と上記支持部とを回動可能に連結したトグルリンクとを備えており、上記板バネは、上記操作片の上記開口部を貫通して、その一端が上記支持部に設けた支持軸に枢着され、かつ他端が上記操作片に枢着されており、上記取付フレームが上記取付穴に嵌挿されてから、前記操作片の一端を天井、壁等の裏面に押し当て、上記板バネを弾性変形させることで、上記取付フレームを上記板バネの弾性力で持ち上げる構造にしている。
【００１７】
上記目的を達成するため、請求項５に係る埋込型器具の取付構造は、請求項１〜４の何れかにおいて、上記板バネは、変曲部を有した椀形状になっている。
【００１８】
上記目的を達成するため、請求項６に係る埋込型器具の取付構造は、請求項１〜５の何れかにおいて、上記器具本体が、ダウンライト等の照明器具である。
【発明の効果】
【００１９】
本発明によれば、次のような効果がある。
請求項１に係る埋込型器具の取付構造によれば、操作片を押圧するだけのワンタッチ操作で器具本体を天井、壁等に簡単且つ確実に固定できる。
【００２０】
また、取付フレームに立設された支持部は、板バネを軸着すると共に、トグルリンクを係脱可能な構造であるため、支持部自体を小型化でき、天井裏が狭小な空間であっても設置することができ、しかも、埋設された器具本体が動作するものであっても、支持部が動作の邪魔にならず、器具本体との接触による損傷も防止できる。
【００２１】
更に、軸着された板バネが天井面に接触する作用点の位置は、天井の厚みに応じて変動するので、天井の厚みが異なっても、同一の取付フレーム及び取付具を用いて器具本体を確実に取付けできる。
【００２２】
請求項２に係る埋込型器具の取付構造によれば、ガイド傾斜面を形成しているので、天井裏等のような手探りの作業であってもトグルリンクの係止部を取付フレームの受爪部に容易に係止でき、器具本体を天井、壁等に簡単に固定できる。
【００２３】
請求項３に係る埋込型器具の取付構造によれば、支持部には、長孔を形成しておき、これにトグルリンクの係止部がスライド可能に連結されているので、トグルリンクの係止部は、常に長孔内に係入されているので、抜け外れることがなく、天井裏等のような手探りの作業であってもトグルリンクの係止部を取付フレームの受爪部に確実に係止できる。
【００２４】
請求項４に係る埋込型器具の取付構造によれば、一組のトグルリンクが、操作片と、前記取付フレームの支持部とを回動可能に連結する構造であるため、前記トグルリンクが支持部から抜け外れることがないうえ、これを係止する手間も不要にでき、天井裏等のような手探りの作業であっても、前記操作片を押圧するだけのワンタッチ操作で、前記器具本体を天井、壁等に簡単且つ確実に固定できる。
【００２５】
また、取付フレームに立設された支持部は、板バネを軸着すると共に、トグルリンクを枢着した構造であるため、支持部自体を小型化でき、天井裏が狭小な空間であっても設置することができ、しかも、埋設された器具本体が動作するものであっても、支持部が動作の邪魔にならず、器具本体との接触による損傷も防止できる。
【００２６】
更に、軸着された板バネが天井面に接触する作用点の位置は、天井の厚みに応じて、板バネが自ら変動するので、天井の厚みが異なっても、同一の取付フレーム及び取付具を用いて器具本体を確実に取付けできる。
【００２７】
請求項５に係る埋込型器具の取付構造によれば、板バネには、その適所を内方に折り曲げて変曲部を設けているので、板バネ全体の弾性係数が高められるうえ、板バネの変位量が増すため、板バネの押圧力を更に高めることができる。
【００２８】
そのため、器具本体の取付けを更に確実に行うことができるうえ、例えば、１ｍｍ程度の薄い天板に対しても、板バネの押圧力を十分に発揮でき、器具本体を確実に取付けできる。
【００２９】
請求項６に係る埋込型器具の取付構造によれば、器具本体として、ダウンライト等の照明器具である場合には、請求項１〜５の効果を有効に発揮できる。
【発明を実施するための最良の形態】
【００３０】
以下、本発明に係る埋込型器具の取付構造Ａを図面とともに説明する。
【実施例１】
【００３１】
図１は、本発明に係る埋込型器具の取付構造Ａの一実施例を示す要部の分解斜視図、図２（ａ）〜（ｃ）は、本発明に係る埋込型器具の取付構造Ａの取付け動作を示す動作説明図、図３は、本発明に係る埋込型器具の取付構造Ａの取付け後の状態を示す概略図である。
【００３２】
ここで、本実施例では、天井に埋込んで設置されるダウンライトＺを例示して説明するが、これ以外の埋込型器具、例えば、天井や壁に埋設されるスピーカー等の音響器具などであっても構わない。
【００３３】
この埋込型器具の取付構造Ａは、天井Ｘに予め開設した取付穴Ｙ内にダウンライトＺを埋設し、このダウンライトＺに連結された取付フレーム１の取付具２を用いてダウンライトＺを天井Ｘ内に収容固定するものである。
【００３４】
取付フレーム１は、開設された取付穴Ｙに係止される鍔片１１と、この鍔片１１を備えたフレーム枠１２を介して取付穴Ｙに嵌挿される。
【００３５】
また、フレーム枠１２の上端には、取付具２と連結される２以上の支持部１３を備えている。ここで、２以上とは、フレーム枠１２の上端に２つの支持部１３を対向して配置したり、或いは、フレーム枠１２の上端に等間隔をあけて複数の支持部１３を配置していることを意味する。
【００３６】
図１では、２つの支持部１３のうちの一方（１つ）だけを示しており、この支持部１３は、フレーム枠１２の上端に一対の受片１３ａを間隔をあけて対向させて立設し、これら受片１３ａの略中央には、後述する板バネ２１の一端２１ａを軸着する軸１３ｂを架設している。
【００３７】
これら受片１３ａの外側上方には、内側に向けて傾斜されたガイド傾斜面１３ｃが形成され、このガイド傾斜面１３ｃの上端を外側に向けて延設して受爪部１３ｄを形成している。
【００３８】
取付具２は、板バネ２１、操作片２２、トグルリンク２３とからなり、この板バネ２１は、その一端２１ａが支持部１３の軸１３ｂに軸着されて回動可能とし、全体を円弧状に形成してなる。
【００３９】
操作片２２は、基板２２ａの中央に板バネ２１が貫通する開口部２２ｂを開設し、この基板２２ａの一端２２ｃに板バネ２１の他端２１ｂを枢着してなる。
【００４０】
また、基板２２ａの両側を下方に折り曲げた折片部２２ｄを対向して形成し、この折片部２２ｄの略中央には軸穴２２ｅを開設している。
【００４１】
操作片２２の他端２２ｆは、これを操作したときに支持部１３の上端に接合される程度に形成されていれば良いが、ここでは、前記他端が下方に向けて僅かに折曲している。
【００４２】
トグルリンク２３は、線材を折曲形成してなり、その両端２３ａは、操作片２２の軸穴２２ｅに内方から軸着したうえで板バネ２１を避け、その前方には、支持部１３に形成された受爪部１３ｄに係脱可能な係止部２３ｂを形成している。
【００４３】
以上のように構成した本発明の埋込型器具の取付構造Ａは、以下の要領で使用する。
【００４４】
なお、図２では、便宜上、図３で示したダウンライトＺを省略しているが、取付フレーム１にダウンライトＺが従来同様、連結されているものとして説明する。
【００４５】
先ず、天井Ｘに開設した取付穴ＹにダウンライトＺが連結された取付フレーム１を下方から嵌挿してダウンライトＺを埋設すると共に、その取付フレーム１を取付穴Ｙに嵌合する。
【００４６】
このとき、取付具２のトグルリンク２３の係止部２３ｂと、取付フレーム１の受爪部１３ｄとは、係止されておらず、この状態では、板バネ２１は弾性変形していないので、取付具２に無用なテンションが作用せず、ダウンライトＺの取付け、取り外し作業を容易にできる〔図２（ａ）、参照。〕。
【００４７】
次に、取付具２の操作片２２を取付フレーム１の外側に向けて押せば、軸１３ｂを中心にして取付具２が取付フレーム１の外側に簡単に移動され、トグルリンク２３の係止部２３ｂを支持部１３の外側に当接されると共に、操作片２２の一端２２ｃが天井Ｘの裏面に接合し、操作片２２の他端２２ｆが立ち上がった状態となる〔図２（ｂ）、参照。〕。
【００４８】
そして、この立ち上がった操作片２２の他端２２ｆを、図中矢印で示すように、板バネ２１の弾性復元力に抗しながら手指で下方に押圧すれば、この板バネ２１が直線方向（外方向）に広げられて弾性力が付与されると共に、トグルリンク２３の係止部２３ｂが、ガイド傾斜面１３ｃに誘導されて受爪部１３ｄに係止したうえで、この係止部２３ｂが上方向に持ち上げられ、この支持部１３に固定された取付フレーム１も上方に持ち上げられる。
【００４９】
ところが、取付フレーム１の下端には、鍔片１１が設けられているので、それ以上の持ち上げが規制され、取付フレーム１を、天井面Ｘの取付穴Ｙに押し付けた状態で固定できる。
【００５０】
一方、操作片２２は、開口部２２ｂを通じて板バネ２１の下方側に移動されるが、所定の位置を越えたところで、いわゆる反転バネと同様に、操作片２２の他端２２ｆを元の位置に戻そうとする弾性復元力の方向が、時計方向から反時計方向に変換されるために、操作片２２の他端２２ｆは、クリック音を発呼すると共に、支持部１３の上端に押し付けられて規制される。
【００５１】
そのため、ダウンライトＺを連結した取付フレーム１は、天井面Ｘの取付穴Ｙに押し付けた状態で確実に固定されるのである〔図２（ｃ）、参照。〕。
【００５２】
また、ダウンライトＺを天井Ｘから取り外す場合には、操作片２２の他端２２ｆを板バネ２１の弾性復元力に効して上方に持ち上げれば、前述と逆の動作が行われて板バネ２１の弾性復元力が解除されて、係止部２３ｂと受爪部１３ｄとの係止が解除され、ダウンライトＺを連結した取付フレーム１を天井面Ｘから簡単に取り外すことができる。
【００５３】
只、ダウンライトＺを天井Ｘに取付けた後は、これを取り外す以外には、操作片２２の他端２２ｆを持ち上げて操作することはなく、逆に、ダウンライトＺの電球を交換する際などに、操作片２２の他端２２ｆを上方に操作し難い構造にしておくほうが望ましいこともある。
【００５４】
このような場合には、図示しないが、不用意に操作片２２の他端２２ｆが持ち上がらないように、例えば、操作片２２の他端２２ｆ先端の一部を内側に切り欠いて、操作片２２の他端２２ｆの面積を少なくして、この操作片２２が不用意に持ち上がることを防止したり、或いは、操作片２２が支持部１３の上端に接合されたときに、更に、この操作片２２の持ち上がりを防止するロック機構（不図示）を設けても構わない。
【００５５】
なお、本実施例では、板バネ２１としては、円弧状に形成した板バネ２１を利用しているが、要は、バネの弾性復元力を作用させて取付フレーム１を持ち上げ、この取付フレーム１を取付穴Ｙ周縁に固定できる構造であれば良く、平板状に形成した板バネ、或いは、板バネ以外のコイルバネ、皿バネ等を用いることも可能である。
【００５６】
このようにして、天井Ｘに取付けられたダウンライトＺは、図３に示すように、ダウンライトＺから照射される照射の角度を変えるため、その全体が３６０°周方向に回転可能であって、且つ、図中想像線で示すように、二重円で示した回転軸を中心に９０°左右にも首振り動作を行うことができるものであるが、このような首振り可能なものであっても、ダウンライトＺが取付具２に当たってダウンライトＺを損傷する危険がなく、或いは、ダウンライトＺの首振り動作を取付具２が邪魔することなくスムーズに動作できるのである。
【００５７】
以上の通り、本発明に係る埋込型器具の取付構造Ａによれば、板バネ２１を弾性変形させることで、該板バネ２１の弾性復元力を作用させ、この弾性復元力で取付フレーム１を持ち上げて天井Ｘ等に固定する構造であるため、操作片２２を押圧するだけのワンタッチ操作で取付フレーム１を天井Ｘ、壁等に簡単且つ確実に固定できる。
【００５８】
また、支持部１３自体も小型化でき、天井Ｘ裏が狭小な空間であっても設置することができ、しかも、埋設されたダウンライトＺが動作するものであっても、支持部１３が動作の邪魔にならず、ダウンライトＺとの接触による損傷も防止できる。
【００５９】
更に、板バネ２１の弾性復元力が付勢される位置は、天井Ｘの厚みに応じて、板バネ２１が自ら変動するので、天井Ｘの厚みが異なっても、同一の取付フレーム１の取付具２を用いてダウンライトＺを確実に取付けできる。
【実施例２】
【００６０】
図４（ａ）、（ｂ）は、本発明に係る支持部１３の他の実施例を示す拡大側面図である。
【００６１】
なお、図１〜図３で示した部材と共通の部材には、同一番号を付して、その説明を省略することとし、ここでは、各実施例の特徴についてのみ説明する。
【００６２】
図４（ａ）で示す支持部１３は、ガイド傾斜面１３ｃの上端を外側に向けて延設した受爪部１３ｄを更に下方に向けて延設させた抜止部１３ｄ’を形成している。
【００６３】
このような抜止部１３ｄ’を形成すれば、ガイド傾斜面１３ｃに誘導されて受爪部１３ｄに係止する係止部２３ｂが、より確実に係止されて、抜け外れることを防止できる。
【００６４】
図４（ｂ）で示す支持部１３は、支持部１３に形成された受爪部１３ｄは、ガイド傾斜面１３ｃと同傾斜の長孔に形成され、この長孔に沿ってトグルリンク２３の係止部２３ｂがスライド可能に連結されている。
【００６５】
このような長孔による受爪部１３ｄによれば、トグルリンク２３の係止部２３は、常に長孔内に係入されているので、抜け外れることがなく、天井裏等のような手探りの作業であってもトグルリンク２３の係止部２３ｂを受爪部１３ｂに確実に係止できる。
【実施例３】
【００６６】
図５は、本発明に係る埋込型器具の取付構造Ａの更に他の実施例を示す要部の分解斜視図、図６は、図５で示した埋込型器具の取付構造Ａの取付け動作を示す動作説明図である。
【００６７】
なお、図１〜図４で示した部材と共通の部材には、同一番号を付して、その説明を省略することとし、ここでは、本実施例の特徴についてのみ説明する。
【００６８】
この埋込型器具の取付構造Ａでは、操作片２２の基板２２ａ両側に折曲形成された折片部２２ｄに両端２３ｃが枢着され、前方を取付フレーム１の支持部１３に開設した軸孔１３ｅに貫通させてなる一組の環状のトグルリンク２３にしている点、及び、板バネ２１の適所を内方に折り曲げて変曲部２１ｃを設けている点に特徴がある。
【００６９】
すなわち、本実施例で示すトグルリンク２３は、矩形の環状に形成された２つの部材からなり、より詳しくは、トグルリンク２３の一方の短辺２３ｄが、僅かに分断している。
【００７０】
そして、この分断された両端２３ｃ、２３ｃを、その弾性復元力に抗しながら手指で拡開させ、両端２３ｃ、２３ｃのうちの一方を、支持部１３の軸孔１３ｅに貫通させて、分断されていない他の短辺２３ｅを、軸孔１３ｅに配置すると共に、分断された両端２３ｃ、２３ｃを、折片部２２ｄに設けた軸穴２２ｅに配置して、手指の拡開を放せば、その弾性復元力によって、分断された両端２３ｃ、２３ｃが閉じて、軸穴２２ｅの両側から各々嵌挿し、一方のトグルリンク２３を一方の折片部２２ｄに枢着でき、これと同要領にして、他方のトグルリンク２３を、他方の折片部２２ｄに枢着する。
【００７１】
このように構成された本発明の埋込型器具の取付構造Ａは、図５で示すように、先ず、天井Ｘに開設した取付穴ＹにダウンライトＺが連結された取付フレーム１を下方から嵌挿してダウンライトＺを埋設すると共に、その取付フレーム１を取付穴Ｙに嵌合する〔図６（ａ）、参照。〕。
【００７２】
このとき、板バネ２１は弾性変形していないので、取付具２に無用なテンションが作用せず、ダウンライトＺの取付け、取り外し作業を容易にできる。
【００７３】
次に、取付具２の操作片２２を取付フレーム１の外側に向けて押せば、軸１３ｂを中心にして取付具２が取付フレーム１の外側に簡単に移動され、操作片２２の一端２２ｃが天井Ｘの裏面に接合し、操作片２２他端２２ｆが立ち上がった状態となる〔図６（ｂ）、参照。〕。
【００７４】
そして、この立ち上がった操作片２２の他端２２ｆを、図中矢印で示すように、板バネ２１の弾性復元力に抗しながら手指で押さえて下方に押圧すれば、この板バネ２１が直線方向（外方向）に広げられて弾性力が付与されると共に、トグルリンク２３の短辺２３ｅが上方向に持ち上げられ、この短辺２３ｅを枢着している支持部１３に固定された取付フレーム１も上方に持ち上げられる。
【００７５】
ところが、取付フレーム１の下端には、鍔片１１が設けられているので、それ以上の持ち上げが規制され、取付フレーム１を、天井面Ｘの取付穴Ｙに押し付けた状態で固定できる。
【００７６】
天井Ｘの裏面に接合している操作片２２の一端２２ｃが、図中矢印で示すように、天井Ｘ裏面を摺動しながら外側に向けて移動する〔図６（ｂ）、参照。〕。
【００７７】
一方、操作片２２は、開口部２２ｂを通じて板バネ２１の下方側に移動されるが、所定の位置を越えたところで、いわゆる反転バネと同様に、操作片２２の他端２２ｆを元の位置に戻そうとする弾性復元力の方向が、時計方向から反時計方向に変換されるために、操作片２２の他端２２ｆは、クリック音を発呼すると共に、支持部１３の上端に押し付けられて規制される。
【００７８】
そのため、ダウンライトＺを連結した取付フレーム１は、天井面Ｘの取付穴Ｙに押し付けた状態で確実に固定されるのである〔図６（ｃ）、参照。〕。
【００７９】
更に、本実施例では、円弧状に形成した板バネ２１の適所を内方に折り曲げて変曲部２１ｃを設けており、この変曲部２１ｃを設けることによって、板バネ２１全体の弾性係数が高められるうえ、板バネ２１の変位量が増すため、板バネ２１の弾性復元力による押圧力を更に高めることができる。
【００８０】
そのため、ダウンライトＺの取付けを更に確実に行うことができるうえ、例えば、１ｍｍ程度の薄い天井Ｘに対しても、板バネ２１の押圧力を十分に発揮でき、ダウンライト（不図示）を確実に取付けできる。
【００８１】
一方、ダウンライトＺを天井Ｘから取り外す場合には、操作片２２の他端２２ｆを板バネ２１の弾性復元力に効して上方に持ち上げれば、前述と逆の動作が行われて板バネ２１の弾性付復元力が解除され、ダウンライトＺを連結した取付フレーム１を天井面Ｘから簡単に取り外すことができる。
【００８２】
このように、本発明に係る埋込型器具の取付構造Ａによれば、一組のトグルリンク２３は、操作片２２と、取付フレーム１の支持部１３とを回動可能に連結した構造であるため、トグルリンク２３が操作片２２と支持部１３とを常に連結して抜け外れることがないため、例えば、天井裏等のような手探りの作業であっても、操作片２２を押圧するだけのワンタッチ操作で、ダウンライトＺを天井Ｘ、壁等に対して、簡単且つ確実に固定できるのである。
【図面の簡単な説明】
【００８３】
【図１】本発明に係る埋込型器具の取付構造Ａの一実施例を示す要部の分解斜視図である。
【図２】（ａ）〜（ｃ）は、本発明に係る埋込型器具の取付構造Ａの取付け動作を示す動作説明図である。
【図３】本発明に係る埋込型器具の取付構造Ａの取付け後の状態及びダウンライトＺが首振りする状態を示した概略図である。
【図４】（ａ）、（ｂ）は、本発明に係る支持部の他の実施例を示す拡大側面図である。
【図５】本発明に係る埋込型器具の取付構造Ａの更に他の実施例を示す要部の分解斜視図である。
【図６】（ａ）〜（ｃ）は、図５で示した取付け動作を示す動作説明図である。
【符号の説明】
【００８４】
Ａ      埋込型器具の取付構造
Ｘ      天井（壁）
Ｙ      取付穴
Ｚ      ダウンライト
１      取付フレーム
１１    鍔片
１２    フレーム枠
１３    支持部
１３ｃ  ガイド傾斜面
１３ｄ  受爪部
１３ｅ  軸孔
２      取付具
２１    板バネ
２１ａ  一端
２１ｂ  他端
２２    操作片
２２ａ  基板
２２ｂ  開口部
２２ｃ  一端
２２ｄ  折片部
２２ｆ  他端
２３    トグルリンク
２３ｃ  両端
２３ｂ  係止部
【図１】
0004724607.tif 000002
【図２】
0004724607.tif 000003
【図３】
0004724607.tif 000004
【図４】
0004724607.tif 000005
【図５】
0004724607.tif 000006
【図６】
0004724607.tif 000007